(57)【特許請求の範囲】
【請求項１】
伝送路に基板を着脱自在に接続するための複数チャンネルのフリースロットと前記複数チャンネルのフリースロットの全てと前記伝送路を介して接続され、スイッチ処理基板が着脱自在に接続される専用スロットとを備える伝送装置と；
前記伝送装置の複数チャンネルのフリースロット及び専用スロットに接続される基板それぞれの送受信信号の品質を管理するホスト制御装置と；
前記複数チャンネルのフリースロットのいずれかに装着される電子回路基板であって、送信／受信パラメータに従って前記伝送路を介して信号を送受信する第１送受信回路部と、前記第１送受信回路部の送受信処理を制御する送受信制御部と、前記第１送受信回路部に送信／受信パラメータを設定する第１パラメータ設定部と、前記第１送受信回路部の動作状態を監視して前記第１パラメータ設定部を制御する第１監視制御部とを備える前記電子回路基板と；
前記専用スロットに接続されるスイッチ処理基板であって、前記複数のフリースロットそれぞれに接続される電子回路基板との間で送信／受信パラメータに従って信号を送受信する複数チャンネルの第２送受信回路部と、前記複数チャンネルの第２送受信回路部それぞれの送受信処理を選択的にオン／オフするスイッチ部と、前記複数チャンネルの第２送受信回路部に前記送信／受信パラメータを設定する第２パラメータ設定部と、前記複数チャンネルの第２送受信回路部それぞれの動作状態を監視して前記第２パラメータ設定部を制御する第２監視制御部とを備えるスイッチ処理基板と；
を具備し、
前記電子回路基板が前記複数チャンネルのフリースロットのいずれかに装着された初期状態で；
前記電子回路基板の前記第１監視制御部は、前記第１送受信回路部の受信状態を監視して、当該受信状態が規定状態となるように前記第１パラメータ設定部に前記第１送受信回路部の受信パラメータを変更させ、前記受信状態が規定状態とならない場合にはその旨を前記ホスト制御装置に通知し；
前記ホスト制御装置は、前記スイッチ処理基板に、前記通知のあったチャンネルの電子回路基板の受信状態が規定状態となるように、チャンネルを指定して送信パラメータの変更を指示し；
前記スイッチ処理基板の第２監視制御部は、前記第２パラメータ設定部に前記ホスト制御装置から指示されるチャンネルの第２送受信回路部の送信パラメータを変更させることを特徴とする電子機器。
【請求項２】
前記伝送路はシリアルバスであり、前記第１送受信回路部及び第２送受信回路部はSERializer / DESerializerであることを特徴とする請求項１記載の電子機器。
【請求項３】
前記第１監視制御部は、少なくとも前記伝送装置からの受信信号レベルを監視して、前記受信パラメータとして受信ゲインを変更させることを特徴とする請求項１記載の電子機器。
【請求項４】
前記第１監視制御部は、少なくとも前記伝送装置からの受信信号のビットエラーを監視して、前記受信パラメータとしてイコライザ値を変更させることを特徴とする請求項１記載の電子機器。
【請求項５】
前記第２監視制御部は、前記送信パラメータとして少なくとも信号振幅、ドライブ電流のいずれかを変更させる請求項１記載の電子機器。
【請求項６】
前記伝送装置は、前記複数チャンネルのフリースロットそれぞれに、装着された電子回路基板にスロット識別符号を通知する通知部を備え、
前記電子回路基板のパラメータ設定部は、予め前記複数チャンネルのフリースロットそれぞれに対応する受信パラメータ設定値が登録され、前記フリースロットへの装着時に前記通知部から通知されるスロット識別符号を受け取り、そのスロット識別符号に対応するフリースロットの受信パラメータ設定値を読み出して前記第１送受信回路部に設定する請求項１記載の電子機器。
【請求項７】
伝送路に基板を着脱自在に接続するための複数チャンネルのフリースロットと前記複数チャンネルのフリースロットの全てと前記伝送路を介して接続され、スイッチ処理基板が着脱自在に接続される専用スロットとを備える伝送装置と；
前記伝送装置の複数チャンネルのフリースロット及び専用スロットに接続される基板それぞれの送受信信号の品質を管理するホスト制御装置と；
前記複数チャンネルのフリースロットのいずれかに装着される電子回路基板であって、送信／受信パラメータに従って前記伝送路を介して信号を送受信する第１送受信回路部と、前記第１送受信回路部の送受信処理を制御する送受信制御部と、前記第１送受信回路部に送信／受信パラメータを設定する第１パラメータ設定部と、前記第１送受信回路部の動作状態を監視して前記第１パラメータ設定部を制御する第１監視制御部とを備える前記電子回路基板と；
前記専用スロットに接続されるスイッチ処理基板であって、前記複数のフリースロットそれぞれに接続される電子回路基板と間で送信／受信パラメータに従って信号を送受信する複数チャンネルの第２送受信回路部と、前記複数チャンネルの第２送受信回路部それぞれの送受信処理を選択的にオン／オフするスイッチ部と、前記複数チャンネルの第２送受信回路部に前記送信／受信パラメータを設定する第２パラメータ設定部と、前記複数チャンネルの第２送受信回路部それぞれの動作状態を監視して前記第２パラメータ設定部を制御する第２監視制御部とを備えるスイッチ処理基板と；
を具備し、
前記電子回路基板が前記複数チャンネルのフリースロットのいずれかに装着された初期状態で；
前記スイッチ処理基板の前記第２監視制御部は、前記複数チャンネルの第２送受信回路部それぞれの受信状態を監視して、各チャンネルの受信状態が規定状態となるように前記パラメータ設定部に前記第２送受信回路部の受信パラメータを変更させ、前記受信状態が規定状態とならないチャンネルがある場合にはその旨を前記ホスト制御装置に通知し；
前記ホスト制御装置は、前記通知のあったチャンネルの第２送受信回路部の受信状態が規定状態となるように、該当するチャンネルの電子回路基板に送信パラメータの変更を指示し；
前記電子回路基板の第１監視制御部は、前記第１パラメータ設定部に前記ホスト制御装置からの指示に従って前記第１送受信回路部の送信パラメータを変更させることを特徴とする電子機器。
【請求項８】
前記伝送路はシリアルバスであり、前記第１送受信回路部及び第２送受信回路部はSERializer / DESerializerであることを特徴とする請求項７記載の電子機器。
【請求項９】
前記第２監視制御部は、少なくとも前記伝送装置からの受信信号レベルを監視して、前記受信パラメータとして受信ゲインを変更させることを特徴とする請求項７記載の電子機器。
【請求項１０】
前記第２監視制御部は、少なくとも前記伝送装置からの受信信号のビットエラーを監視して、前記受信パラメータとしてイコライザ値を変更させることを特徴とする請求項７記載の電子機器。
【請求項１１】
前記第１監視制御部は、前記送信パラメータとして少なくとも信号振幅、ドライブ電流のいずれかを変更させることを特徴とする請求項７記載の電子機器。
【請求項１２】
前記伝送装置は、前記複数チャンネルのフリースロットそれぞれに、装着された電子回路基板にスロット識別符号を通知する通知部を備え、
前記電子回路基板のパラメータ設定部は、予め前記複数チャンネルのフリースロットそれぞれに対応する受信パラメータ設定値が登録され、前記フリースロットへの装着時に前記通知部から通知されるスロット識別符号を受け取り、そのスロット識別符号に対応するフリースロットの受信パラメータ設定値を読み出して前記第１送受信回路部に設定することを特徴とする請求項７記載の電子機器。
【請求項１３】
伝送路に基板を着脱自在に接続するための複数チャンネルのフリースロットと前記複数チャンネルのフリースロットの全てと前記伝送路を介して接続され、スイッチ処理基板が着脱自在に接続される専用スロットとを備える伝送装置と；
前記伝送装置の複数チャンネルのフリースロット及び専用スロットに接続される基板それぞれの送受信信号の品質を管理するホスト制御装置と；
前記複数チャンネルのフリースロットのいずれかに装着される電子回路基板であって、送信／受信パラメータに従って前記伝送路を介して信号を送受信する第１送受信回路部と、前記第１送受信回路部の送受信処理を制御する送受信制御部と、前記第１送受信回路部に送信／受信パラメータを設定する第１パラメータ設定部と、前記第１送受信回路部の動作状態を監視して前記第１パラメータ設定部を制御する第１監視制御部とを備える前記電子回路基板と；
前記専用スロットに接続されるスイッチ処理基板であって、前記複数のフリースロットそれぞれに接続される電子回路基板と間で送信／受信パラメータに従って信号を送受信する複数チャンネルの第２送受信回路部と、前記複数チャンネルの第２送受信回路部それぞれの送受信処理を選択的にオン／オフするスイッチ部と、前記複数チャンネルの第２送受信回路部に前記送信／受信パラメータを設定する第２パラメータ設定部と、前記複数チャンネルの第２送受信回路部それぞれの動作状態を監視して前記第２パラメータ設定部を制御する第２監視制御部とを備えるスイッチ処理基板と；
を具備し、
前記電子回路基板が前記複数チャンネルのフリースロットのいずれかに装着された初期状態で；
前記電子回路基板の前記第１監視制御部は、前記第１送受信回路部の受信状態を監視して、当該受信状態が規定状態となるように前記第１パラメータ設定部に前記第１送受信回路部の受信パラメータを変更させ、前記受信状態が規定状態とならない場合にはその旨を前記ホスト制御装置に通知し；
前記ホスト制御装置は、前記スイッチ処理基板に、前記通知のあったチャンネルの電子回路基板の受信状態が規定状態となるように、チャンネルを指定して送信パラメータの変更を指示し；
前記スイッチ処理基板の第２監視制御部は、前記第２パラメータ設定部に前記ホスト制御装置から指示されるチャンネルの第２送受信回路部の送信パラメータを変更させ；
前記スイッチ処理基板の前記第２監視制御部は、前記複数チャンネルの第２送受信回路部それぞれの受信状態を監視して、各チャンネルの受信状態が規定状態となるように前記パラメータ設定部に前記第２送受信回路部の受信パラメータを変更させ、前記受信状態が規定状態とならないチャンネルがある場合にはその旨を前記ホスト制御装置に通知し；
前記ホスト制御装置は、前記通知のあったチャンネルの第２送受信回路部の受信状態が規定状態となるように、該当するチャンネルの電子回路基板に送信パラメータの変更を指示し；
前記電子回路基板の第１監視制御部は、前記第１パラメータ設定部に前記ホスト制御装置からの指示に従って前記第１送受信回路部の送信パラメータを変更させることを特徴とする電子機器。
【発明の詳細な説明】
【技術分野】
【０００１】
本発明の実施形態は、伝送路の複数のスロットに装着される複数の電子回路基板それぞれの送受信信号の伝送品質を管理する機能を有する電子機器に関する。
【背景技術】
【０００２】
例えば放送用送信装置のような電子機器では、それぞれ特定の処理機能を有する複数の電子回路基板がマザーボードに設けられる複数のフリースロットに着脱自在に接続されている。このマザーボードには、フリースロットに接続される電子回路基板間の信号伝送を差動方式により行うための伝送路が形成されている。
【０００３】
ところで、上記電子機器では、信号処理及び信号伝送の高速化に伴い、基板間の信号伝送距離が重要な要素となってきている。これに対して、従来のようなフリースロット搭載のマザーボードでは、基板を装着するスロットが自由に選択可能な利便性を有するが、基板間の信号伝送距離が不定となる。この場合、伝送品質が均一とならず、伝送エラーを引き起こすおそれがある。
【０００４】
特に、放送用送信装置等の電子回路基板では、伝送品質を向上させる信号増幅レベル、ドライブ電流レベル及び周波数調整等のパラメータが固定である。このため、基板間で良好な伝送品質が得られる距離は必然的に限定されてしまい、利用可能なスロットが制限されてしまう。
【先行技術文献】
【特許文献】
【０００５】
【特許文献１】特開２００８−２２３９２号公報
【発明の概要】
【発明が解決しようとする課題】
【０００６】
以上のように、従来の電子機器では、信号処理及び信号伝送の高速化に伴い、基板間の信号伝送距離が重要な要素となってきているにもかかわらず、フリースロット搭載のマザーボードでは、基板を装着するスロットが自由に選択可能な利便性を有するが、基板間の信号伝送距離が不定となる。この場合、伝送品質が均一とならず、伝送エラーを引き起こすおそれがある。
【０００７】
特に、放送用送信装置等の電子回路基板では、伝送品質を向上させる信号増幅レベル、ドライブ電流レベル及び周波数調整等のパラメータが固定であるため、基板間で良好な伝送品質が得られる距離は必然的に限定されてしまい、利用可能なスロットが制限されてしまう。
【０００８】
本実施形態の目的は、基板接続用のスロット位置の変更等によって伝送距離が変わった場合でも、必要なパラメータ設定を比較的簡単に判別し再設定することのできる電子機器を提供することにある。
【課題を解決するための手段】
【０００９】
本実施形態に係る電子機器は、伝送路に基板を着脱自在に接続するための複数チャンネルのフリースロットと前記複数チャンネルのフリースロットの全てと前記伝送路を介して接続される固定スロットとを備える伝送装置と、前記伝送装置の複数チャンネルのフリースロット及び専用スロットに接続される基板それぞれの送受信信号の品質を管理するホスト制御装置と、前記複数チャンネルのフリースロットのいずれかに装着される電子回路基板であって、送信／受信パラメータに従って前記伝送路を介して信号を送受信する第１送受信回路部と、前記第１送受信回路部の送受信処理を制御する送受信制御部と、前記第１送受信回路部に送信／受信パラメータを設定する第１パラメータ設定部と、前記第１送受信回路部の動作状態を監視して前記第１パラメータ設定部を制御する第１監視制御部とを備える前記電子回路基板と、前記専用スロットに接続されるスイッチ処理基板であって、前記複数のフリースロットそれぞれに接続される電子回路基板と間で送信／受信パラメータに従って信号を送受信する複数チャンネルの第２送受信回路部と、前記複数チャンネルの第２送受信回路部それぞれの送受信処理を選択的にオン／オフするスイッチ部と、前記複数チャンネルの第２送受信回路部に前記送信／受信パラメータを設定する第２パラメータ設定部と、前記複数チャンネルの第２送受信回路部それぞれの動作状態を監視して前記第２パラメータ設定部を制御する第２監視制御部とを備えるスイッチ処理基板とを具備し、前記電子回路基板が前記複数チャンネルのフリースロットのいずれかに装着された初期状態で、前記電子回路基板の前記第１監視制御部は、前記第１送受信回路部の受信状態を監視して、当該受信状態が規定状態となるように前記第１パラメータ設定部に前記第１送受信回路部の受信パラメータを変更させ、前記受信状態が規定状態とならない場合にはその旨を前記ホスト制御装置に通知し、前記ホスト制御装置は、前記スイッチ処理基板に、前記通知のあったチャンネルの電子回路基板の受信状態が規定状態となるように、チャンネルを指定して送信パラメータの変更を指示し、前記スイッチ処理基板の第２監視制御部は、前記第２パラメータ設定部に前記ホスト制御装置から指示されるチャンネルの第２送受信回路部の送信パラメータを変更させる態様とする。
【００１０】
または、伝送路に基板を着脱自在に接続するための複数チャンネルのフリースロットと前記複数チャンネルのフリースロットの全てと前記伝送路を介して接続される固定スロットとを備える伝送装置と、前記伝送装置の複数チャンネルのフリースロット及び専用スロットに接続される基板それぞれの送受信信号の品質を管理するホスト制御装置と、前記複数チャンネルのフリースロットのいずれかに装着される電子回路基板であって、送信／受信パラメータに従って前記伝送路を介して信号を送受信する第１送受信回路部と、前記第１送受信回路部の送受信処理を制御する送受信制御部と、前記第１送受信回路部に送信／受信パラメータを設定する第１パラメータ設定部と、前記第１送受信回路部の動作状態を監視して前記第１パラメータ設定部を制御する第１監視制御部とを備える前記電子回路基板と、前記専用スロットに接続されるスイッチ処理基板であって、前記複数のフリースロットそれぞれに接続される電子回路基板と間で送信／受信パラメータに従って信号を送受信する複数チャンネルの第２送受信回路部と、前記複数チャンネルの第２送受信回路部それぞれの送受信処理を選択的にオン／オフするスイッチ部と、前記複数チャンネルの第２送受信回路部に前記送信／受信パラメータを設定する第２パラメータ設定部と、前記複数チャンネルの第２送受信回路部それぞれの動作状態を監視して前記第２パラメータ設定部を制御する第２監視制御部とを備えるスイッチ処理基板とを具備し、前記電子回路基板が前記複数チャンネルのフリースロットのいずれかに装着された初期状態で、前記スイッチ処理基板の前記第２監視制御部は、前記複数チャンネルの第２送受信回路部それぞれの受信状態を監視して、各チャンネルの受信状態が規定状態となるように前記パラメータ設定部に前記第２送受信回路部の受信パラメータを変更させ、前記受信状態が規定状態とならないチャンネルがある場合にはその旨を前記ホスト制御装置に通知し、前記ホスト制御装置は、前記通知のあったチャンネルの第２送受信回路部の受信状態が規定状態となるように、該当するチャンネルの電子回路基板に送信パラメータの変更を指示し、前記電子回路基板の第１監視制御部は、前記第１パラメータ設定部に前記ホスト制御装置からの指示に従って前記第１送受信回路部の送信パラメータを変更させる態様とする。
【図面の簡単な説明】
【００１１】
【図１】実施形態に係る電子機器の構成例を示すブロック図。
【図２】図１に示す実施形態の各電子回路基板の監視制御部における受信設定処理の流れを示すフローチャート。
【図３】図１に示す実施形態のホスト制御基板の電子回路基板における受信設定処理時の処理の流れを示すフローチャート。
【図４】図１に示す実施形態のスイッチ処理基板の送信設定処理の流れを示すフローチャート。
【図５】図１に示す実施形態の通信スイッチ処理基板の受信設定処理の流れを示すフローチャート。
【図６】図１に示す実施形態のホスト制御基板のスイッチ処理基板における受信設定処理時の処理の流れを示すフローチャート。
【図７】図１に示す実施形態の各電子回路基板の監視制御部における送信設定処理の流れを示すフローチャート。
【発明を実施するための形態】
【００１２】
以下、図面を参照しながら本実施形態に係る電子機器を説明する。
【００１３】
図１は、本実施形態に係る電子機器の構成例を示すブロック図である。なお、図１は、収容基板数ｎの場合の例を示している。
【００１４】
この電子機器では、筐体内に伝送装置としてのマザーボード１０が配置される。マザーボード１０は、第１、第２スロットＳ１，Ｓ２及びｎチャンネルの第３スロットＳ３１〜Ｓ３ｎを備える。また、マザーボード１０には、伝送路としてのシリアルバス１０１と制御バス１０２が形成される。シリアルバス１０１には第２スロットＳ２及びｎチャンネルの第３スロットＳ３１〜Ｓ３ｎそれぞれの送受信信号伝送ラインが接続され、制御バス１０２には第１スロットＳ１、第２スロットＳ２及びｎチャンネルの第３スロットＳ３１〜Ｓ３ｎそれぞれの制御信号伝送ラインが接続される。第１、第２スロットＳ１，Ｓ２はそれぞれホスト制御基板１１、スイッチ処理基板１２が着脱自在に接続される専用スロットである。また、ｎチャンネルの第３スロットＳ３１〜Ｓ３ｎは、順不同でｎ枚の電子回路基板１３１〜１３ｎが着脱自在に接続されるフリースロットである。第３スロットＳ３１〜Ｓ３ｎは、それぞれスロット認識用データ（以下、スロットＩＤ）発行部Ａ１〜Ａｎを備える。このスロットＩＤ発行部Ａ１〜Ａｎは、電子回路基板３ｉ（ｉは１〜ｎのいずれか）が装着されたとき、スロットＩＤを発行して装着された基板に通知する。
【００１５】
上記ホスト制御基板１１は、マザーボード１０のｎチャンネルの第３スロットＳ３１〜Ｓ３ｎに接続される電子回路基板１３１〜１３ｎ及び第２スロットＳ２に接続されるスイッチ処理基板１２の送受信信号の品質を管理する。
【００１６】
上記電子回路基板１３ｉは、送受信回路部（ＳＥＲＤＥＳ：SERializer / DESerializer）Ｂ１、送受信制御部Ｂ２、パラメータ設定部Ｂ３、監視制御部Ｂ４及びスロットＩＤ管理部Ｂ５を備える。送受信回路部Ｂ１は、設定された送信／受信パラメータに従ってマザーボード１０のシリアルバスを介して信号を送受信する、パラレル／シリアル変換機能を有する送受信回路である。送受信制御部Ｂ２は、送受信回路部Ｂ１の送受信処理を制御する。パラメータ設定部Ｂ３は、送受信回路部Ｂ１に送信／受信パラメータを設定する。監視制御部Ｂ４は送受信回路部Ｂ１の動作状態を監視し、その動作状態に応じてあるいはホスト制御基板１１からの指示に従って、パラメータ設定部Ｂ３を通じて送受信回路部Ｂ１に適切な送信／受信パラメータを設定する。スロットＩＤ管理部Ｂ５は、マザーボード１０のいずれかの第３スロットＳ３ｉに装着された時に、そのスロットのスロットＩＤ発行部Ａｉから発行されるスロットＩＤを受け取って登録する。ここで、上記パラメータ設定部Ｂ３には、予めスロットＩＤ毎にスイッチ処理基板１２との距離に適応した送信パラメータ及び受信パラメータが登録される。
【００１７】
ここで、送信パラメータは、例えば信号振幅値、ドライブ電流値であり、受信パラメータは、例えば受信ゲイン、イコライザ値である。上記監視制御部Ｂ４は、送受信回路部Ｂ１の信号受信状態をモニタし、受信信号の信号レベル及びビットエラーを監視して、それぞれ適正値となるようにパラメータ設定部Ｂ３を通じて受信ゲイン及びイコライザ値の受信パラメータを変更する。また、ホスト制御基板１１からの指示に従って、パラメータ設定部Ｂ３を通じて信号振幅またはドライブ電流の送信パラメータを変更する。
【００１８】
上記スイッチ処理基板１２は、送受信回路部（ＳＥＲＤＥＳ：SERializer / DESerializer）Ｃ１１〜Ｃ１ｎ、スイッチ部Ｃ２、パラメータ設定部Ｃ３、監視制御部Ｃ４を搭載する。送受信回路部Ｃ１１〜Ｃ１ｎは、第２スロットＳ２を通じてマザーボード１０のシリアルバスと接続されるｎチャンネル伝送ラインそれぞれに接続される。ｉチャンネルの送受信回路部Ｃ１ｉは、設定された送信／受信パラメータに従ってマザーボード１０のシリアルバスを介して対応するｉチャンネルの第３スロットＳ３ｉに接続される電子回路基板１３ｉとの間で信号を送受信する、パラレル／シリアル変換機能を有する送受信回路である。スイッチ部Ｃ１は監視制御部Ｃ４からの指示により指定されたチャンネルの送受信回路部Ｃ１ｉの送受信処理を選択的にオン／オフする。パラメータ設定部Ｃ３は、送受信回路部Ｃ１１〜Ｃ１ｎに送信／受信パラメータを設定する。監視制御部Ｃ４は、各チャンネルの送受信回路部Ｃ１１〜Ｃ１ｎそれぞれの動作状態を監視し、その動作状態に応じてあるいはホスト制御基板１１からの指示に従って、パラメータ設定部Ｃ３を通じて送受信回路部Ｃ１１〜Ｃ１ｎに適切な送信／受信パラメータを設定する。
【００１９】
ここで、送信パラメータは、例えば信号振幅値、ドライブ電流値であり、受信パラメータは、例えば受信ゲイン、イコライザ値である。上記監視制御部Ｃ４は、送受信回路部Ｃ１ｉの信号受信状態をモニタし、受信信号の信号レベル及びビットエラーを監視して、それぞれ適正値となるようにパラメータ設定部Ｃ３を通じて受信ゲイン、イコライザ値の受信パラメータを変更する。また、ホスト制御基板１１からの指示に従って、パラメータ設定部Ｃ３を通じて信号振幅またはドライブ電流の送信パラメータを変更する。
【００２０】
上記構成による電子機器おいて、以下にその初期設定及び調整について説明する。
【００２１】
電子回路基板１３ｉでは、第３スロットＳ３１〜Ｓ３ｎのいずれかに装着される（装置電源ＯＮまたは基板活線挿入）と、監視制御部Ｂ４は、装着した第３スロットＳ３ｉのスロットＩＤ発行部Ａｉから発行されるスロットＩＤを読み込んでスロットＩＤ管理部Ｂ５に登録し、パラメータ設定部Ｂ３からスロットＩＤに対応した送信パラメータと受信パラメータを読み出して送受信回路部Ｂ１に初期設定する。
【００２２】
すなわち、装着する第３スロットＳ３ｉのチャンネルが決まれば、そのスロットの位置からスイッチ処理基板１２との距離が決まる。そこで、本実施形態の電子機器では、パラメータ設定部Ｂ３に予めスロットＩＤに対応づけてスロット毎のスイッチ処理基板１２までの距離に適応した送信／受信パラメータを登録しておく。そして、スロット装着時に、読み取られたスロットＩＤに対応する送信／受信パラメータをパラメータ設定部Ｂ３から読み出して送受信回路部Ｂ１に設定する。これにより、電子回路基板１３ｉをどの第３スロットＳ３ｉに装着したとしても、適度な送信／受信パラメータを設定することができ、基板間での伝送品質を安定化することができる。しかも、スロットＩＤと送受信パラメータとが対応づけられているので、比較的短時間に設定することができる。
【００２３】
但し、実際にはマザーボード１０や基板毎に特性にばらつきがあるため、基板装着後に調整が必要である。以下、上記電子回路基板１３ｉ及びスイッチ処理基板１２に対する送信・受信パラメータの調整について説明する。
【００２４】
まず、スイッチ処理基板１２から出力される送信信号が各チャンネルの電子回路基板１３ｉで確実に受信可能とするための調整について述べる。
【００２５】
図２は各電子回路基板１３ｉの監視制御部Ｂ４における受信設定処理の流れを示すフローチャート、図３はホスト制御基板１１の電子回路基板１３ｉにおける受信設定処理時の処理の流れを示すフローチャート、図４はスイッチ処理基板１２の監視制御部Ｃ４における送信設定処理の流れを示すフローチャートである。
【００２６】
電子回路基板１３ｉにおいて、監視制御部Ｂ４は、図２に示すように、スロット装着による起動後、送受信回路部Ｂ１の受信状態を監視し（ステップＳＴ１１）、受信信号レベルは十分か否かを判断する（ステップＳＴ１２）。受信信号レベルは十分でないと判断した場合（Ｎｏ）には、パラメータ設定部Ｂ１に対して受信ゲインを１ステップ大きくなるように指示する（ステップＳＴ１３）。ここで、受信ゲインは最大か否かを判断し（ステップＳＴ１４）、最大でないと判断した場合（Ｎｏ）にはステップＳＴ１１に戻って受信状態の監視を継続し、ステップＳＴ１２で受信信号レベルが十分であると判断されるまで、あるいはステップＳＴ１４で受信ゲインが最大であると判断されるまで、ステップＳＴ１３の１ステップアップを実行する。上記ステップＳＴ１４において、受信ゲインが最大であると判断した場合（Ｙｅｓ）には、受信信号レベルが十分とれないことをホスト制御基板１１に通知する（ステップＳＴ１５）。また、ステップＳＴ１２で受信信号レベルが十分であると判断した場合（Ｙｅｓ）には、その旨、ホスト制御基板１１に通知する(ステップＳＴ１６）。
【００２７】
ここで、ホスト制御基板１１では、図３に示すように、各電子回路基板１３ｉの受信信号レベルが十分とれないとの通知の有無を判断する（ステップＳＴ２１）。ステップＳ２１で、受信信号レベルが十分とれないとの通知有りと判断した場合（Ｙｅｓ）には、スイッチ処理基板１２に対し、電子回路基板１３ｉに対する送信設定として、信号振幅またはドライブ電流の送信パラメータを１ステップ大きくするように指示して（ステップＳＴ２２）、受信信号レベルは十分とれるとの通知の有無を判断し（ステップＳＴ２３）、その通知があるまでステップＳＴ２２の処理を繰り返す。ステップＳＴ２３で、受信信号レベルは十分とれるとの通知有りと判断した場合（Ｙｅｓ）には、ステップＳＴ２２の処理を停止させ、スイッチ処理基板１２に送信パラメータの増加を停止させる。
【００２８】
スイッチ処理基板１２において、監視制御部Ｃ２は、図４に示すように、ホスト制御基板１１からの送信設定指示を受けて（ステップＳＴ３１）、パラメータ設定部Ｃ３に対し、電子回路基板１３ｉに対応するチャンネルの送受信回路部Ｃ１ｉの信号振幅またはドライブ電流の送信パラメータを１ステップ大きくし、設定の停止指示があるまでステップＳＴ３３の送信パラメータの増大を継続する（ステップＳＴ３２，ＳＴ３３）。
【００２９】
一方、上記電子回路基板１３ｉにおいて、監視制御部Ｂ４は、ステップＳＴ１２で受信信号レベルが十分であると判断した場合（Ｙｅｓ）には、送受信回路部Ｂ１のビットエラー状態を監視し（ステップＳＴ１７）、ビットエラーの有無を判断する（ステップＳＴ１８）。ここで、ビットエラー有りと判断した場合（Ｎｏ）には、パラメータ設定部Ｂ３に対して受信用イコライザのパラメータを調整し（ステップＳＴ１９）、ステップＳＴ１７に戻ってビットエラー状態の監視を続ける。ステップＳＴ１８でビットエラー無しと判断した場合（Ｙｅｓ）には、一連の受信設定処理を終了する。
【００３０】
以上の処理により、スイッチ処理基板１２から出力される送信信号を各チャンネルの電子回路基板１３ｉで確実に受信することが可能となる。
【００３１】
次に、各チャンネルの電子回路基板１３ｉから出力される送信信号がスイッチ処理基板１２で確実に受信可能とするための調整について述べる。
【００３２】
図５はスイッチ処理基板１２の監視制御部Ｃ４における受信設定処理の流れを示すフローチャート、図６はホスト制御基板１１の通信スイッチ基板１２における受信設定処理時の処理の流れを示すフローチャート、図７は各電子回路基板１３ｉの監視制御部Ｂ４における送信設定処理の流れを示すフローチャートである。
【００３３】
通信スイッチ基板１２において、監視制御部Ｃ４は、図５に示すように、送受信回路部Ａ１ｉの受信状態を監視し（ステップＳＴ４１）、受信信号レベルは十分か否かを判断する（ステップＳＴ４２）。受信信号レベルは十分でないと判断した場合（Ｎｏ）には、パラメータ設定部Ｃ３に対して受信ゲインを１ステップ大きくなるように指示する（ステップＳＴ４３）。ここで、受信ゲインは最大か否かを判断し（ステップＳＴ４４）、最大でないと判断した場合（Ｎｏ）にはステップＳＴ４１に戻って受信状態の監視を継続し、ステップＳＴ４２で受信信号レベルが十分であると判断されるまで、あるいはステップＳＴ４４で受信ゲインが最大であると判断されるまで、ステップＳＴ４３の１ステップアップを実行する。上記ステップＳＴ４４において、受信ゲインが最大であると判断した場合（Ｙｅｓ）には、受信信号レベルが十分とれないことをホストＣＰＵ基板１１に通知する（ステップＳＴ４５）。また、ステップＳＴ４２で受信信号レベルが十分であると判断した場合（Ｙｅｓ）には、その旨、ホスト制御基板１１に通知する(ステップＳＴ４６）。
【００３４】
ここで、ホスト制御基板１１では、図６に示すように、スイッチ処理基板１２の受信信号レベルが十分とれないとの通知の有無を判断する（ステップＳＴ５１）。ステップＳＴ５１で、受信信号レベルが十分とれないとの通知有りと判断した場合された場合（Ｙｅｓ）には、電子回路基板１３ｉに対し、スイッチ処理基板１２に対する送信設定として、信号振幅またはドライブ電流の送信パラメータを１ステップ大きくするように指示して（ステップＳＴ５２）、受信信号レベルは十分とれるとの通知の有無を判断し（ステップＳＴ５３）、その通知があるまでステップＳＴ５２の処理を繰り返す。ステップＳＴ５３で、受信信号レベルは十分とれるとの通知有りと判断した場合（Ｙｅｓ）には、ステップＳＴ５２の処理を停止させ、電子回路基板１３ｉに送信パラメータの増加を停止させる。
【００３５】
電子回路基板１３ｉにおいて、監視制御部Ｂ４は、図７に示すように、ホスト制御基板１１からの送信設定指示を受けて（ステップＳＴ６１）、パラメータ設定部Ｂ３に対し、スイッチ処理基板１２の送受信回路部Ｃ１ｉに対応するチャンネルの送信設定として、信号振幅またはドライブ電流の送信パラメータを１ステップ大きくし、設定の停止指示があるまでステップＳＴ６３の送信パラメータの増大を継続する（ステップＳＴ６２，ＳＴ６３）。
【００３６】
一方、上記スイッチ処理基板１２において、監視制御部Ｃ４は、ステップＳＴ４２で受信信号レベルは十分であると判断された場合（Ｙｅｓ）には、送受信回路部Ａ１ｉのビットエラー状態を監視し（ステップＳＴ４７）、ビットエラーの有無を判断する（ステップＳＴ４８）。ここで、ビットエラー有りと判断した場合（Ｎｏ）にはパラメータ設定部Ｃ３に対して受信用イコライザのパラメータを調整し（ステップＳＴ４９）、ステップＳＴ４７に戻ってビットエラー状態の監視を続ける。ステップＳＴ４８でビットエラー無しと判断した場合（Ｙｅｓ）には、一連の受信設定処理を終了する。これにより、通信開始の準備が終了する。
【００３７】
以上述べたように、従来は、各電子回路基板やスイッチ処理基板の送信設定や受信設定が固定であったので、良好な伝送品質が得られる区間が限定されてしまい、スロットに自由度があっても接続可能なスロットに制限があったが、本実施形態では、ホスト制御基板１１を通じて、送受信状態を確認しながら、スイッチ処理基板１２の監視制御部Ａ２及び各電子回路基板１３ｉの監視制御部Ｂ４間で送信パラメータ、受信パラメータを適切な値に設定できるので、どのスロットに装着しても良好な伝送品質が得られる。この結果、電子回路基板を任意のフリースロットに実装できるので、装置内の基板実装の自由度が広がる。また、基板の送信設定、受信設定を都度実施する必要がなくなり、低コスト化を実現することができる。
【００３８】
尚、上記実施形態では、スイッチ処理基板、電子回路基板それぞれがパラメータ設定部を備える場合について説明したが、スイッチ処理基板が送信パラメータ設定部を備え、電子回路基板それぞれが受信パラメータ設定部を備える場合、あるいはスイッチ処理基板が受信パラメータ設定部を備え、電子回路基板それぞれが送信パラメータ設定部を備える場合でも同様に実施可能である。
【００３９】
また、上記実施形態における電子回路基板１３１〜１３ｎには、例えばメモリ基板、様々な通信機器と接続するためのインターフェース基板、デコーダ／エンコーダ基板等が適用可能である。
【００４０】
また、上記実施形態はそのままに限定されるものではなく、実施段階ではその要旨を逸脱しない範囲で構成要素を変形して具体化できる。また、上記実施形態に開示されている複数の構成要素の適宜な組み合わせでもよい。例えば、実施形態に示される全構成要素から幾つかの構成要素を削除してもよい。さらに、異なる実施形態にわたる構成要素を適宜組み合わせてもよい。
【符号の説明】
【００４１】
１０…マザーボード、１０１…シリアルバス、１０２…制御バス、Ａ１〜Ａｎ…スロットＩＤ発行部、１１…ホスト制御基板、１２…スイッチ処理基板、Ｓ１…第１スロット（ホスト制御基板専用）、Ｓ２…第２スロット（スイッチ処理基板専用）、Ｓ３１〜Ｓ３ｎ…第３スロット（フリースロット）、１３１〜１３ｎ…電子回路基板、Ｂ１…送受信回路部（ＳＥＲＤＥＳ：SERializer / DESerializer）、Ｂ２…送受信制御部、Ｂ３…パラメータ設定部、Ｂ４…監視制御部、Ｂ５…スロットＩＤ管理部、Ｃ１１〜Ｃ１ｎ…送受信回路部（ＳＥＲＤＥＳ：SERializer / DESerializer）、Ｃ２…スイッチ部、Ｃ３…パラメータ設定部、Ｃ４…監視制御部。
【図１】
0005342039.tif 000002
【図２】
0005342039.tif 000003
【図３】
0005342039.tif 000004
【図４】
0005342039.tif 000005
【図５】
0005342039.tif 000006
【図６】
0005342039.tif 000007
【図７】
0005342039.tif 000008